(57)【特許請求の範囲】
【請求項１】
風船壁内に照明／音声発生装置が固定された風船であって、
前記照明／音声発生装置がケーシングを備え、前記ケーシングに外カバーを掛合させると共に前記ケーシングと前記外カバーとの間に前記風船壁を位置させることで、前記外カバーが風船壁に固定され、
更に、前記外カバーには、前記照明／音声発生装置を制御する制御スイッチの備わるスイッチ外カバーが掛合される
ことを特徴とする照明／音声発生装置を備えた風船。
【請求項２】
前記制御スイッチは外カバーの上部に固定されている
請求項１に記載の照明／音声発生装置を備えた風船。
【請求項３】
前記外カバーは少なくとも１の押圧部を備え、照明／音声発生装置内には、照明／音声発生装置の電気接続を導通させるための制御スイッチが取り付けられていて、押圧部は制御スイッチに対応していて、押圧部に対する押圧によって制御スイッチの制御が達成される
請求項２に記載の照明／音声発生装置を備えた風船。
【請求項４】
前記外カバーにはスイッチ台が覆設されていて、照明／音声発生装置のオンオフを制御するため、制御スイッチがスイッチ台に設けられるとともに、風船内に伸入して照明／音声発生装置の回路に接触する
請求項１に記載の照明／音声発生装置を備えた風船。
【請求項５】
前記スイッチ台は押圧部を備え、押圧部の下部が制御スイッチのトリガー機構に設置され、制御スイッチのトリガー機構は照明／音声発生装置の固定部に伸入し、接触片は固定部まで延伸してトリガー機構に対応する
請求項４に記載の照明／音声発生装置を備えた風船。
【請求項６】
前記接触片は固定部まで延伸して湾曲部を形成し、湾曲部は突出してトリガー機構に対応し、湾曲部がボタン電池に接触するために、ボタン電池の後部は中空構造となっている
請求項５に記載の照明／音声発生装置を備えた風船。
【請求項７】
風船体における照明／音声発生装置が固定される位置には、風船体の壁に柔軟性の保護膜が付設されている
請求項１に記載の照明／音声発生装置を備えた風船。
【請求項８】
前記保護膜は、紙片、粘着性のシール／紙、ラップフィルム、柔軟性プラスチックフィルム、ポリバルーン、布地のいずれかとすることができ、保護膜は照明／音声発生装置の占有面積よりも大きい
請求項７に記載の照明／音声発生装置を備えた風船。
【発明の詳細な説明】
【技術分野】
【０００１】
本発明は、風船に関し、特に、照明／音声発生装置を備えた風船に関する。
【背景技術】
【０００２】
物質的な生活水準の持続的向上に伴い、風船はその特有の装飾性から、生活内における選択肢のひとつとなっている。通常、人々は風船に注気し、単体の風船として、または複数の風船を組み合わせて周囲を装飾する。
【０００３】
しかし、このような使用方法はあまりに単調で、多様なニーズに応えることができない。そこで、特許文献１に開示される発光風船のように、各種効果を備えた風船が創造されている。当該風船は照明効果を備えていて、ＬＥＤ灯を発光体とし、シリコン光電池が電力供給する発光回路装置が、通気孔を有するプラスチック製の筐体内に装着されている。前記発光風船は簡易な構造で使いやすく、プラスチックチューブを取り付けて携帯したり、紐を結び付けて牽引し、空中に漂わせて楽しんだり、夜景を彩ったりするのに適している。
【０００４】
しかし、このような風船の構造形式では発光は可能なものの、発光体と気体注入構造が風船の吸気口箇所に位置するため風船への気体注入に不便であり、かつ、風船が相対的に重いことから空中へ上げるのが困難であった。さらに、製造およびコストの問題から、広く応用されるには至っていない。
【０００５】
特許文献２は、照明装置を風船の内壁に固定する構造を開示している。当該構造において、照明装置は下部にＬＥＤ灯を備えるとともに、上部側には突出したキノコ状部を備えていて、風船を照明装置に密着させるべくＯリングでキノコ状部の下部を縛ることで、照明装置と風船を固定している。さらに、吸気口箇所には伸出する矢尻型の拡大部を設けていて、当該矢尻型の拡大部が照明装置の接触片に接続され、矢尻型の拡大部を引き出すことで照明回路が導通し、ＬＥＤ灯が点灯する。このような構造は、風船の吸気口箇所に照明装置を設けないため風船へ注気しやすいほか、照明装置を小型化して風船内に取り付け可能とする一方で、次のような欠点がある。キノコ状部とＯリングを設けたことで風船と照明装置の固定構造が単一的となり、風船と照明装置の固定は、Ｏリングをキノコ状部のネック部に設置することでのみ可能となるとともに、キノコ状部は固定構造の一部にすぎず、他の機能を実現することができない。また、キノコ状部のネックを形成するために、加工技術および過程がたいへん複雑となり、製造コストが上昇してしまう。さらに、矢尻型の拡大部は制御が簡単ではあるが、資源の浪費を招来し、環境保護に適さない。
【先行技術文献】
【特許文献】
【０００６】
【特許文献１】中国特許出願第２００６１０１２２５４１．７号
【特許文献２】英国特許出願第ＧＢ２００７０００４５７５号
【発明の概要】
【発明が解決しようとする課題】
【０００７】
本発明は、内部に照明／音声発生装置を備え、制御および気体注入がしやすく、かつ低コストな、照明／音声発生装置を備えた風船を提供することを課題とする。
【０００８】
本発明の他の目的は、照明／音声発生装置の制御が簡単であり、かつ風船の気体注入に影響せず、環境に影響を与える廃棄物が発生しない、照明／音声発生装置を備えた風船を提供することである。
【０００９】
本発明のさらなる目的は、風船の外部から照明／音声発生装置のオンオフ制御を実現可能であり、資源の節約に適した、照明／音声発生装置を備えた風船を提供することである。
【００１０】
本発明のさらに別の目的は、照明／音声発生装置と風船壁との接触部位に保護構造を備え、当該構造が風船の爆発時に風船の照明／音声発生装置の飛行方向に影響を与え、飛行速度を減速させることで、照明／音声発生装置が人身に危害を及ぼさないよう保証する、照明／音声発生装置を備えた風船を提供することである。
【課題を解決するための手段】
【００１１】
上記課題を達成するため、本発明は次の形態を備える。
【００１２】
風船体、照明／音声発生装置を含み、照明／音声発生装置が風船体の壁に固定される、照明／音声発生装置を備えた風船であって、前記照明／音声装置が外カバーを介して風船壁に固定されていることを特徴とする。
【００１３】
前記風船は、通常はエマルション風船、アルミフィルム風船、またはその他材質の風船である。
【００１４】
前記照明／音声発生装置は照明灯または音声発生器、電池を備え、電池は各種方式で照明装置または音声発生器に電気接続され、かつ、照明／音声発生装置の外端は固定部であり、風船は当該固定部を覆っていて、外カバーは風船と固定部に固結されている。さらに、前記照明／音声発生装置の前端には照明灯または音声発生器が備えられ、照明／音声発生装置の中部にはボタン電池が設けられ、ボタン電池は接触片を介して照明灯または音声発生器に接続され、照明／音声発生装置の後部は固定部であり、風船体は当該固定部を覆っていて、外カバーがさらに当該固定部に掛止されている。
【００１５】
照明灯は、白熱灯、ネオン灯、ＬＥＤ灯のいずれかとすればよく、音声発生器は、通常の意味において音楽または音声を再生可能な装置、例えばスピーカーである。ボタン電池は必要に応じて容量、サイズおよび数量を予め設定してもよいが、通常は、発光または音声発生の必要を満たすために、ボタン電池は２〜４個備えられる。
【００１６】
さらに、前記外カバーには照明／音声発生装置のオンオフを制御するための制御スイッチが設けられている。
【００１７】
さらに、前記制御スイッチは外カバーの上部に固定されている。
【００１８】
さらに、前記外カバーは少なくとも１の押圧部を備え、照明／音声発生装置内には、照明／音声発生装置の電気接続を導通させて、照明／音声発生装置を動作させるための制御スイッチが取り付けられていて、押圧部は制御スイッチに対応していて、押圧部に対する押圧によって制御スイッチの制御との目的が達成される。
【００１９】
通常の場合、外カバー内には風船壁が備えられ、風船壁内には制御スイッチが設けられ、制御スイッチは照明／音声発生装置に対応するが、場合によっては、風船壁が制御スイッチの下部に位置してもよい。
【００２０】
さらに、前記外カバーにはスイッチ台が覆設されていて、照明／音声発生装置のオンオフを制御すべく、制御スイッチがスイッチ台に設けられるとともに、風船内に伸入して照明／音声発生装置の回路に接触する。
【００２１】
前記制御スイッチは、圧接式、押動式、トグル式のいずれかである。
【００２２】
比較的好ましい形態として、前記スイッチ台は押圧部を備え、前記制御スイッチはトリガー機構であり、押圧部の下部がトリガー機構に対応していて、トリガー機構は照明／音声発生装置の固定部に伸入し、接触片は固定部まで延伸してトリガー機構に対応し、トリガー機構によって接触片をボタン電池と導通させる、あるいはボタン電池との電気接続を切断可能とする。
【００２３】
さらに、前記接触片は固定部まで延伸して湾曲部を形成し、湾曲部は突出してトリガー機構に対応し、湾曲部がボタン電池に接触して電気接続を形成し、照明／音声発生装置を動作させやすいよう、ボタン電池の後部は中空構造となっている。
【００２４】
押圧部とトリガー機構は、通常は、例えばプラスチック、プラスチック、ゴムなどの非導電性の材料からなり、接触片は、ニッケルめっき金属片のような導電性金属材料からなる。
【００２５】
前記照明装置は、通常はケーシング内に設けられている。照明装置の安全と信頼性を高めるために、ケーシングは上ケーシングと下ケーシングから構成され、上ケーシングと下ケーシングは互いに固定可能なことから、照明装置が収納されるとともに、照明灯が露出される。かつ、上ケーシングと下ケーシングは共同で１の後部を構成し、当該後部が外カバーに係合されることで、照明装置を外カバーによって堅固に風船体の壁に固定することができる。
【００２６】
風船が使用過程において度々爆発することを考慮して、風船の安全性を強化するために、風船体における照明／音声発生装置が固定される位置には、風船体の壁に柔軟性の保護膜を付設し、風船の爆発時に、照明／音声発生装置が高速で飛び回り、人身に危害を及ぼすことを回避する。
【００２７】
一般的に、保護膜は通常は風船壁の内側、すなわち風船内に設けられるが、別の実施形態では、風船壁の外側にも保護膜を付着させてもよい。
【００２８】
前記保護膜は、紙片、粘着性のシール／紙、ラップフィルム、柔軟性プラスチックフィルム、ポリバルーン、布地のいずれかとすることができる。
【００２９】
前記保護膜は、良好な保護効果を備えるために、照明／音声発生装置の占有面積よりも大きくなければならない。
【００３０】
保護膜を風船壁の外側に設置する場合、比較的好ましい形態としては粘着性のシール／紙を付設する。使用者は、風船に注気した後に、粘着性のシール／紙を照明／音声発生装置の周囲の風船壁に貼付することで、さらなる安全保護効果を達成する。
【００３１】
前記保護膜は、風船壁の内側と外側に同時に設けてもよい。
【００３２】
本発明は、従来の風船に影響を与えることなく、外カバーを介して照明／音声発生装置を固定するため、照明／音声発生装置を設置および装着しやすく、また、照明／音声発生装置の設置構造が簡略化され、製造コストが低減される。かつ、当該構造は風船の気体注入と使用に影響を及ぼすことがなく、装飾および娯楽をより提供しやすくなる。
【００３３】
この構造の下で、さらに照明／音声発生装置の制御も実現可能である。簡単な押圧動作を行うだけで照明／音声発生装置のオンオフ制御を実現可能であり、風船の吸気口に付設された部材で別途制御を行う必要がないほか、さらには資源の節約も可能なことから、環境に対する汚染や悪影響が回避される。
【図面の簡単な説明】
【００３４】
【図１】本発明における照明装置と外カバーを結合する一実施形態の構造図
【図２】本発明が実施する第２実施形態の構造図
【図３】図２に示す形態において照明装置を点灯した構造図
【図４】本発明が実施する第３実施形態の構造図
【図５】図４に示す形態において照明装置を点灯した構造図
【図６】本発明が実施する第４実施形態の構造図
【図７】図６に示す形態において照明装置を点灯した構造図
【図８】本発明が実施する第５実施形態の構造図
【図９】図８に示す形態において照明装置を点灯した構造図
【図１０】本発明が実施する第６実施形態の構造図
【図１１】図１０に示す形態において照明装置を点灯した構造図
【図１２】本発明が実施する第７実施形態の構造図
【発明を実施するための形態】
【００３５】
本発明の目的、技術方案および利点をより明確にするために、以下に図面と実施例を組み合わせて本発明をさらに詳細に説明する。なお、ここで述べる具体的な実施例は本発明を説明するためのものにすぎず、本発明を限定する主旨ではない。
【００３６】
図１を参照して、本実施形態では、分解立体図を用いて照明装置と外カバーを結合する構造形式について述べるため、図中には風船を描画していないが、風船は依然として本発明を構成する必須要素である。ここでは、風船の構造に変更を加えていないことから、照明装置と外カバーの構造的特徴を説明するために、これら要素についてのみ説明する。
【００３７】
通常、照明装置はＬＥＤ灯１、接触片２、上ケーシング３、下ケーシング４からなり、トリガー機構５によってＬＥＤ灯の点灯を制御する。うち、上ケーシング３と下ケーシング４は互いに固定可能である。具体的には、上ケーシング３の一方の側にバンプ３２とスタッド３３が備えられ、下ケーシング４のバンプ３２およびスタッド３３に対応する位置には係合溝４５および係合孔４６が設けられ、バンプ３２およびスタッド３３は係合溝４５および係合孔４６に嵌入して、上ケーシング３と下ケーシング４を固定可能である。同様に、下ケーシング４の他方の側にもバンプとスタッドが備えられ、対応部位の上ケーシング３に係合溝および係合孔が備えられる。上ケーシング３と下ケーシング４の両側での掛合によって、両者を堅固に固定することができる。これにより、上ケーシング３の前部３１と下ケーシング４の前部４１が大きめの孔を形成し、ＬＥＤ灯１が当該孔からちょうど露出して照明を行う。
【００３８】
ＬＥＤ灯１は後方に向かって伸びる２つの接触片２および２２を備え、接触片２２はボタン電池８の前部に直接接続され、接触片２は後方に向かって伸び、ボタン電池８の後部まで延伸するとともに、湾曲部２１を形成する。接触片２の後端において伸びる湾曲部２１とボタン電池８とが回路を形成することで、ＬＥＤ灯１に電力が供給される。
【００３９】
ボタン電池８は上ケーシング３と下ケーシング４によって形成される中部空洞４２内に取り付けられ、中部空洞４２は上ケーシング３と下ケーシング４の後部で形成される後部空洞４３と連通している。これにより、トリガー機構５によって接触片２の湾曲部２１を押圧して回路を導通させ、ＬＥＤ灯１の点灯と消灯を制御可能となる。
【００４０】
トリガー機構５の中部には枢結スリーブ５２が備えられ、当該枢結スリーブ５２が後部空洞４３内の突出軸４７に覆設されることで、トリガー機構５はこの突出軸４７まわりに左右に揺動可能とされる。トリガー機構５の両側には圧接部５１が伸びていて、トリガー機構５の下部には突出した押持部５３が備えられる。トリガー機構５の一方の圧接部５１を押圧すると、押持部５３が湾曲部２１を押動または湾曲部２１に対する押圧を解除することから、ＬＥＤ灯の点灯または消灯効果が達成される。
【００４１】
下ケーシング４の後部４４は掛合部を備え、同様に、上ケーシングの後部も掛合部３４を備える。外カバー６が掛合溝６２を介して掛合部３４に嵌設されることで、照明装置と風船体をしっかりと結合することができる。外カバー６を装着しやすいように、通常は外カバー６の一方の側に切欠き６１が加工される。
【００４２】
ＬＥＤ灯１の点灯または消灯を制御しやすいように、さらにスイッチ外カバー７が設けられる。スイッチ外カバー７は外カバー６の底縁６３に掛合し、外カバー６とともに照明装置を堅固に風船体の壁に固定することができる。トリガー機構５を制御しやすいように、スイッチ外カバー７の上部には押圧部７１が備えられる。
【００４３】
図２は、本発明における他の具体的な実施形態の簡略図である。本実施形態において、ＬＥＤ灯３０とボタン電池４０は照明装置の筐体内に取り付けられていて、接触片６０はボタン電池４０の後部に向かって伸び、照明装置の筐体は外側に延伸して照明装置の後部２０を形成している。当該後部２０は更に外側に延伸してスイッチ台９０を形成し、押圧部７０がスイッチ台９０の表面に位置し、当該押圧部７０を介してトリガー機構８０を前進させるように押動可能である。
【００４４】
外カバー５０は照明装置を風船体１０の壁に固定し、ＬＥＤ灯３０を風船の内部に位置させる。
【００４５】
図３を組み合わせて、ＬＥＤ灯３０を点灯したい場合、矢印方向に押圧部７０を圧接することで、トリガー機構８０を下向きに運動させるように押動する。これにより、接触片６０をボタン電池４０上に押持し、回路を導通させることでＬＥＤ灯３０が点灯する。
【００４６】
本実施形態では、スイッチ台９０と照明装置の後部２０が一体化構造を形成しているが、他の実施形態においてはさらに簡略化して、図４，図５に示すようにスイッチ台を省略してもよい。
【００４７】
図４は、本発明における第３の具体的な実施形態の簡略図である。本実施形態において、ＬＥＤ灯３０１とボタン電池４０１は照明装置の筐体内に取り付けられていて、接触片６０１はボタン電池４０１の後部に向かって伸び、照明装置の筐体は外側に延伸して照明装置の後部２０１を形成している。
【００４８】
押圧部７０１が外カバー５０１の表面に位置し、当該押圧部７０１を介してトリガー機構８０１を動作させることができる。トリガー機構８０１はトグルスイッチであり、後部２０１内に位置し、矢印方向に動作することで接触片６０１をボタン電池４０１に接触させることができる。
【００４９】
外カバー５０１は照明装置を風船体１０１の壁に固定し、ＬＥＤ灯３０１を風船の内部に位置させる。
【００５０】
図５を組み合わせて、ＬＥＤ灯３０１を点灯したい場合、押圧部７０１を介してトリガー機構８０１を右へ回動するよう矢印方向に動作させることで、トリガー機構８０１の底部が接触片６０１を押圧し、接触片６０１がボタン電池４０１に押持されることで回路が導通され、ＬＥＤ灯３０１が点灯する。
【００５１】
図６は、本発明における第４の具体的な実施形態の簡略図である。本実施形態の基本構造は図４と一致しているが、押圧部とトリガー機構の配置が異なる点で区別される。ＬＥＤ灯３０２とボタン電池４０２は照明装置の筐体内に取り付けられ、接触片６０２はボタン電池４０２の後部に向かって伸びるとともに、トリガー機構８０２が押圧しやすいよう、ボタン電池４０２の後部で湾曲部を形成している。照明装置の筐体は外側に延伸し、照明装置の後部２０２を形成している。
【００５２】
左右２つの押圧部７０２が外カバー５０２の表面に位置し、当該押圧部７０２を介して左右でトリガー機構８０２を押圧可能である。トリガー機構８０２は後部２０２の内側に位置し、左右に揺動することで接触片６０２をボタン電池４０２に接触させることができる。
【００５３】
外カバー５０２は照明装置を風船体１０２の壁に固定し、ＬＥＤ灯３０２を風船の内部に位置させる。
【００５４】
図７を組み合わせて、ＬＥＤ灯３０２を点灯したい場合、押圧部７０２を介してトリガー機構８０２を右へ回動するよう矢印方向に動作させることで、トリガー機構８０２が接触片６０２を押圧し、接触片６０２がボタン電池４０２に押持されることで回路が導通され、ＬＥＤ灯３０２が点灯する。
【００５５】
図８は、本発明における第５の具体的な実施形態の簡略図である。本実施形態において、ＬＥＤ灯３０３とボタン電池４０３はやはり照明装置の筐体内に取り付けられていて、接触片６０３はボタン電池４０３の後部に向かって伸び、照明装置の筐体は外側に延伸して照明装置の後部２０３を形成している。
【００５６】
左右２つの押圧部７０３が外カバー５０３の表面に位置し、当該押圧部７０３を介して左右でトリガー機構８０３を押圧可能である。トリガー機構８０３は左右方向のトグルスイッチであり、後部２０３の内側に位置して、左右に動作することで接触片６０３をボタン電池４０３に接触させることができる。
【００５７】
外カバー５０３は照明装置を風船体１０３の壁に固定し、ＬＥＤ灯３０３を風船の内部に位置させる。
【００５８】
図９を組み合わせて、ＬＥＤ灯３０３を点灯したい場合、矢印方向に押圧部７０３を圧接することで、押圧部７０３がトリガー機構８０３を回動させるように押圧し、トリガー機構８０３の底部が接触片６０３を押圧して、接触片６０３がボタン電池４０３に押持されることで回路が導通され、ＬＥＤ灯３０３が点灯する。ＬＥＤ灯３０３を消灯したい場合には、他方の押圧部７０３を圧接すればよい。
【００５９】
図１０は、本発明における第６の具体的な実施形態の簡略図である。本実施形態では使い捨ての風船に対応すべく、ＬＥＤ灯３０４は起動後に常時点灯状態となる。ＬＥＤ灯３０４とボタン電池４０４は照明装置の筐体内に取り付けられていて、接触片６０４はボタン電池４０４の後部に向かって伸び、照明装置の筐体は外側に延伸して照明装置の後部２０４を形成している。
【００６０】
接触片６０４による回路導通に対応する位置に、突出した係合片９０４が設けられている。接触片６０４がトリガー機構８０４に押動されてボタン電池４０４に押持されると、係合片９０４は、接触片６０４が回路を安定的に導通可能であるとともに、再びボタン電池４０４から分離することのないよう、接触片６０４を係止する。トリガー機構８０４自体には複数のアンダーカットが備えられ、押圧過程で安定的に前進可能である。
【００６１】
押圧部７０４が外カバー５０４の表面に位置し、当該押圧部７０４を介してトリガー機構８０４を圧接可能である。トリガー機構８０４は後部２０４内に位置する。
【００６２】
外カバー５０４は照明装置を風船体１０４の壁に固定し、ＬＥＤ灯３０４を風船の内部に位置させる。
【００６３】
図１１を組み合わせて、ＬＥＤ灯３０４を点灯したい場合、矢印方向に押圧部７０４を圧接することで、押圧部７０４がトリガー機構８０４を下向きに移動させるように押圧し、トリガー機構８０４が接触片６０４押圧して、接触片６０４がボタン電池４０４に押持されることで回路が導通され、ＬＥＤ灯３０４が点灯する。このとき、係合片９０４は、接触片６０４が回路を安定的に導通可能であるとともに、再びボタン電池４０４から分離することのないよう、接触片６０４を係止する。
【００６４】
図１２は本発明の第７実施形態の構造図である。図中、ＬＥＤ灯３０５とボタン電池４０５は照明装置の筐体内に取り付けられていて、接触片６０５はボタン電池４０５の後部に向かって伸び、照明装置の筐体は外側に延伸して照明装置の後部２０５を形成している。
【００６５】
左右２つの押圧部７０５が外カバー５０５の表面に位置し、当該押圧部７０５を介して左右でトリガー機構８０５を押圧可能である。トリガー機構８０５は左右方向のトグルスイッチであり、後部２０５内に位置して、左右に動作することで接触片６０５をボタン電池４０５に接触させるよう押持することができる。
【００６６】
外カバー５０５は照明装置を風船体１０５の壁に固定し、ＬＥＤ灯３０５を風船の内部に位置させる。うち、外カバー５０５の内側には内向きに突出したねじ山５０５１が備えられ、対応位置の後部２０５にはねじ溝２０５１が備えられる。ねじ山５０５１はねじ溝２０５１内に嵌入可能であり、装着時には、外カバー５０５を回転させることで外カバー５０５と後部２０５を堅固かつ安定的に結合することができる。
【００６７】
ＬＥＤ灯３０５を点灯したい場合、押圧部７０５を圧接することで、押圧部７０５がトリガー機構８０５を回動させるように押圧し、トリガー機構８０５の底部が接触片６０５を押圧して、接触片６０５がボタン電池４０５に押持されることで回路が導通され、ＬＥＤ灯３０５が点灯する。ＬＥＤ灯３０５を消灯したい場合には、他方の押圧部７０５を圧接すればよい。
【００６８】
総括すると、本発明における構造改良の要点は外カバーを設けたことにある。外カバーを照明装置（例えば音声発生装置のような他の装置であってもよい）に直接固定することで、風船体の壁は外カバーと照明装置の間に位置することになるため、照明装置に対し特殊なネック加工を施す必要がなくなる。外カバーと照明装置は、掛合（例えば内掛）、ねじ、溶接（例えば超音波溶接）、締りばめ、および類似の方式で固定すればよい。そして、外カバーは付属の制御スイッチを引き続き利用可能であり、照明装置を制御しやすい。
【００６９】
以上は本発明の好ましい実施例にすぎず、本発明を限定するものではない。本発明の主旨と原則の下で加えられる修正、等価の入れ替えおよび改良等は、いずれも本発明の保護の範囲に含まれる。
【図１】
0005965489.tif 000002
【図２】
0005965489.tif 000003
【図３】
0005965489.tif 000004
【図４】
0005965489.tif 000005
【図５】
0005965489.tif 000006
【図６】
0005965489.tif 000007
【図７】
0005965489.tif 000008
【図８】
0005965489.tif 000009
【図９】
0005965489.tif 000010
【図１０】
0005965489.tif 000011
【図１１】
0005965489.tif 000012
【図１２】
0005965489.tif 000013